【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
交換レンズとカメラ本体を有するカメラシステムであって、
前記交換レンズは、該交換レンズの動作を制御するレンズ制御手段を有し、
前記カメラ本体は、該カメラ本体の動作を制御するカメラ制御手段を有し、
前記カメラ制御手段は、前記カメラ制御手段と前記レンズ制御手段との非同期通信制御が行われていないときは、所定のタイミングで同期通信用指令を前記レンズ制御手段に送信し、所定のタイミングにおいて、前記カメラ制御手段と前記レンズ制御手段の非同期通信制御が行われているときは、前記非同期通信制御が終了してから、所定のタイミングに対する遅延情報を含む同期通信用指令を前記レンズ制御手段に送信することを特徴とするカメラシステム。
【請求項２】
前記所定のタイミングは、前記カメラ制御手段と前記レンズ制御手段を同期して通信させるための垂直同期信号に基づいて定められることを特徴とする請求項１に記載のカメラシステム。
【請求項３】
前記遅延情報は、前記所定のタイミングから前記非同期通信制御が終了するまでの時間に関する情報であることを特徴とする請求項１または２に記載のカメラシステム。
【請求項４】
前記レンズ制御手段は、前記遅延情報に基づいて、前記同期通信制御が行われるタイミングを設定することを特徴とする請求項１乃至３のいずれか１項に記載のカメラシステム。
【請求項５】
カメラ本体の動作を制御するカメラ制御手段を有するカメラ本体に着脱可能な交換レンズであって、
前記交換レンズの動作を制御するレンズ制御手段を有し、
前記レンズ制御手段は、前記カメラ制御手段と前記レンズ制御手段の非同期通信制御が行われていないときは、所定のタイミングで同期通信用指令を前記カメラ制御手段から受信し、所定のタイミングにおいて、前記カメラ制御手段と前記レンズ制御手段の非同期通信制御が行われているときは、前記非同期通信制御が終了してから、所定のタイミングに対する遅延情報を含む同期通信用指令を前記カメラ制御手段から受信することを特徴とする交換レンズ。
【請求項６】
交換レンズの動作を制御するレンズ制御手段を有する交換レンズが着脱可能なカメラ本体であって、
前記カメラ本体の動作を制御するカメラ制御手段を有し、
前記カメラ制御手段は、前記カメラ制御手段と前記レンズ制御手段の非同期通信制御が行われていないときは、所定のタイミングで同期通信用指令を前記レンズ制御手段に送信し、所定のタイミングにおいて、前記カメラ制御手段と前記レンズ制御手段の非同期通信制御が行われているときは、前記非同期通信制御が終了してから、所定のタイミングに対する遅延情報を含む同期通信用指令を前記レンズ制御手段に送信することを特徴とするカメラ本体。
【手続補正２】
【補正対象書類名】明細書
【補正対象項目名】発明の名称
【補正方法】変更
【補正の内容】
【発明の名称】カメラシステム、交換レンズ、及びカメラ本体
【手続補正３】
【補正対象書類名】明細書
【補正対象項目名】０００１
【補正方法】変更
【補正の内容】
【０００１】
本発明は、カメラシステム、交換レンズ、及びカメラ本体に関する。
【手続補正４】
【補正対象書類名】明細書
【補正対象項目名】０００６
【補正方法】変更
【補正の内容】
【０００６】
本発明は、このような状況に鑑みてなされたものであり、デジタル一眼レフカメラの操作性の向上を図るカメラシステムを提供することを目的とする。
【手続補正５】
【補正対象書類名】明細書
【補正対象項目名】０００７
【補正方法】変更
【補正の内容】
【０００７】
上記課題を解決するために、本発明は、交換レンズとカメラ本体とを有するカメラシステムであって、交換レンズは、交換レンズの動作を制御するレンズ制御手段を有し、カメラ本体は、カメラ本体の動作を制御するカメラ制御手段を有し、カメラ制御手段は、カメラ制御手段とレンズ制御手段との非同期通信制御が行われていないときは、所定のタイミングで同期通信用指令をレンズ制御手段に送信し、所定のタイミングにおいて、カメラ制御手段とレンズ制御手段との非同期通信制御が行われているときは、非同期通信制御が終了してから、所定のタイミングに対する遅延情報を含む同期通信用指令をレンズ制御手段に送信することを特徴とする。
【手続補正６】
【補正対象書類名】明細書
【補正対象項目名】０００９
【補正方法】変更
【補正の内容】
【０００９】
【図１】本発明の実施形態に係るカメラシステムの構成を示すブロック図である。
【図２】コントラストＡＦ方式におけるウォブリング動作を示す図である。
【図３】接点ユニットを介した通信回路を示す概念図である。
【図４】カメラマイコンからの同期クロック出力信号に対する電気信号図である。
【図５】非同期通信用カメラコマンドの一覧表である。
【図６】同期通信用カメラコマンドの一覧表である。
【図７】カメラマイコンからの同期クロック出力信号を示す概念図である。
【図８】レンズマイコンによる割り込み処理を示すフローチャートである。
【手続補正７】
【補正対象書類名】明細書
【補正対象項目名】００１１
【補正方法】変更
【補正の内容】
【００１１】
（第１実施形態）
まず、本発明の実施形態に係るカメラシステム（以下、通信制御に係る部分に着目して「通信制御装置」という。）を構成する交換レンズとカメラ本体との内部の制御系について説明する。図１は、交換レンズ１とカメラ本体２との構成を模式的に図示し、かつ、その内部の制御系を示すブロック図である。交換レンズ１は、交換式オートフォーカスレンズであり、フォーカスユニット３と、モーター４と、移動量検出ユニット５と、絶対位置検出ユニット６と、ＥＥＰＲＯＭ７と、レンズマイコン８と、接点ユニット９を備える。まず、フォーカスユニット３は、フォーカスレンズ１０を保持し、該フォーカスレンズ１０を光軸及び水平方向に移動可能とする、被写体にピントを合わせるための保持機構である。モーター４は、フォーカスユニット３を駆動させるためのアクチュエータである。このモーター４の種類としては、電磁式、超音波式又はボイスコイル式等のモーターが採用可能であり、本実施形態では、電磁式を採用する。移動量検出ユニット５は、モーター４の回転量と回転速度とを検出するための検出手段である。この移動量検出ユニット５は、円周上に同一ピッチで形成された切り欠きを有し、モーター４の回転と同期して回転する円盤を備え、ＬＥＤから投光された光がフォトインタラプタ素子（受光素子）に到達するか遮光されるかにより信号の変化を検出するものである。ここで、移動量検出ユニット５は、フォーカスユニット３の移動量がモーター４の回転量と比例することから、フォーカスユニット３の移動量を計測することができる。絶対位置検出ユニット６は、フォーカスユニット３の絶対位置を検出するための検出手段である。この絶対位置検出ユニット６は、フォーカスユニット３に連動して移動する複数の金属のブラシと、固定された金属パターンとの導通による信号の変化を検出し、この信号変化に基づいてフォーカスユニット３の現在位置を特定するものである。ＥＥＰＲＯＭ（又は、フラッシュメモリー）７は、書き換え可能な不揮発性メモリーであり、このＥＥＰＲＯＭ７に記憶されるデータは、交換レンズ１の調整データとなる。レンズマイコン８は、交換レンズ１内の構成要素の制御を行うレンズ制御手段である。このレンズマイコン８は、カメラ本体２との通信を行うための通信コントローラ、リセット例外処理、Ａ／Ｄ、タイマー、入出力ポート、ＲＯＭ及びＲＡＭ等の機能を搭載する。接点ユニット９は、カメラ本体２との通信を行うための複数の金属接点を有し、レンズマイコン８とカメラマイコン１２とを電気的に接続する接続手段である。複数の金属接点は、カメラ本体２側に設置された複数の金属突起と、交換レンズ１側に設置された、前記金属突起と機械的に接触する複数の金属片とで構成される。この金属接点は、カメラ本体２から交換レンズ１に対して電源を供給する機能も有する。